(57)【特許請求の範囲】
【請求項１】
教具又は家具の底面に取り付けられるキャスター（１）において、
ナット（２３）が締め付けられるように上側に雄ねじ（２２）が形成された固定軸（２１）の下端を係合した車輪（２）と、
前記車輪（２）の固定軸（２１）を貫通させる軸孔（３１）を中央に設けられ、周面に作動軸孔（３２）が設けられた摺動部材（３）と、前記摺動部材（３）の作動軸孔（３２）に嵌め込み可能な偏心軸（４１）が一方の側に形成され、他方の側の中心に突設される軸ボルト（４２）を有する偏心回転部材（４）と、からなる昇降手段と、
前記摺動部材（３）が嵌め込まれた状態で上下動可能なように垂直方向の中央に貫通形成される第１の作動空間（５１）と、前記車輪（２）が回転及び上下動可能な第２の作動空間（５２）と、偏心回転部材（４）が嵌め込まれた状態で偏心軸（４１）が第１の作動空間（５１）に嵌入されるように水平方向に貫通形成される第３の作動空間（５３）と、上部に形成された締付け用雌ねじ（５４）と、からなる本体（５）と、
前記偏心回転部材（４）の軸ボルト（４２）に嵌め込み可能な係合孔（６１）が中央に設けられた作動レバー（６）と、
前記偏心回転部材（４）の軸ボルト（４２）に螺合された状態で作動レバー（６）を固定する固定ナット（２４）と、
前記本体（５）の第３の作動空間（５３）に嵌め込み可能な偏心回転部材（４）の抜け止め及び回転の停止が可能に構成され、第１の固定部（２１０）又は第２の固定部（２２０）からなる固定手段と、
を備えるキャスター。
【請求項２】
前記第１の固定部（２１０）は、
本体（５）の第３の作動空間（５３）の先端に螺合可能な仕上げリング（２１１）と、本体（５）の第３の作動空間（５３）の入口の外側に固定可能な止めピン（２１２）と、からなり、
前記第２の固定部（２２０）は、偏心回転部材（４）の周面に設けられるガイド溝（４３）及び該ガイド溝（４３）の両端に設けられる止め溝（４４）に当接可能な下部が半球状の形態を有し、且つ、中央に突出フランジを有する支持棒（２２１）と、該支持棒（２２１）に弾性力を与えるばね（２２２）と、前記支持棒（２２１）及びばね（２２２）を収容する収容空間（５５）の先端に螺合可能な栓（２２３）と、を備え、
前記収容空間（５５）は、本体（５）の上部に配され、本体（５）の第３の作動空間（５３）と連通する穿孔として設けられる請求項１に記載のキャスター。
【請求項３】
柱フレーム（９２）を有し、ホワイトボード（９）を据置きするためのスタンド（９１）と、
請求項１又は請求項２に記載のキャスター（１）と、
を備え、
前記スタンド（９１）は、前記柱フレーム（９２）の下端に固定された受け台（９３）に接し、前記受け台（９３）を貫通する締付けボルト（２５）をさらに備え、
前記キャスター（１）は、前記キャスター（１）の本体（５）の上端に形成された雌ねじ（５４）に前記締付けボルト（２５）を螺合させて前記スタンドを取り付けるための取り付け構造を有する、キャスター付きホワイトボード。
【発明の詳細な説明】
【技術分野】
【０００１】
本発明は、キャスター及びキャスター付きホワイトボードに係り、更に詳しくは、ホワイトボードを有する教具や家具などに取り付けられて移動状態及び停止状態間の切り替えを手軽に且つ安定的に行えるようにしたキャスター及びキャスター付きホワイトボードを開示する。に関する。
【背景技術】
【０００２】
一般に、教具や家具などを手軽に運び、運ばれた場所に停止状態で保管及び活用するために、車輪の移動を停止させる装置又は車輪を出没させる装置を有する各種多様なキャスターが提案されている。
【０００３】
前記車輪の回転を停止させる装置を有するキャスターのうちの一つである「椅子用車輪」は、例えば、特許文献１に開示されたものであり、着座部の下端に多方向に延びた回転脚と、前記着座部と回転脚との間の高さを調節する回転支持棒と、前記回転脚の下端にそれぞれ設けられた多数の車輪と、を備える椅子用車輪において、前記多数の車輪の内側面にそれぞれ形成されたピニオン部材と、前記回転支持棒及び回転脚の内部に収納されて上下に動作し、且つ、その下端が回転脚の下部の外側に突出されて前記多数のピニオン部材の一方の側と対応するように係合又は係脱されながら多数の車輪の回転を同時に制御する連結桟と、前記回転支持棒の内部の所定の高さに設けられて前記連結桟の上端が所定の高さで貫通されるように案内する受け台と、前記受け台の下部と連結桟の一方の側との間に設けられて連結桟が下降動作をするように弾発力を加えるばねと、前記受け台の上部に突出された前記連結桟の上端とヒンジピンにより係合され、且つ、その一方の端が前記回転支持棒を介して外部に突出されて連結桟を上昇動作させる操作レバーと、を備える。
【０００４】
前記椅子用車輪は、操作レバーの操作位置に応じて回転脚に設けられた多数の車輪が同時に回転されないように制動されたり別々に制動されたりするように構成されているので、車輪による揺動又は移動を防ぐことができるという効果が得られるものであるが、座板に座って荷重が加えられた状態では操作し難く、その構造が非常に複雑であるため製造コストが高騰する他、組立て性が低いという不具合がある。
【０００５】
また、車輪の回転を停止させる装置を有するキャスターのうちの一つである「車輪回転自動固定装置」は、特許文献２に開示されたものであり、中心に回転軸が配設された車輪の一部を放射状に取り囲み、前記回転軸と連結される車輪支持体と、前記車輪支持体を取り囲むように構成される移動部であって、前記車輪及び車輪支持体に対して上下に所定の距離だけ移動可能なように前記回転軸と連結され、一方の側には移動部の下向き移動時に前記車輪の回転が固定可能な固定具を前記車輪に対して上側に配設した移動部と、前記移動部の上端及び前記車輪支持体の上端に形成される案内柱に嵌入する弾性体と、を備え、前記脚には、案内柱の上端に対して所定の高さだけ上側に回転可能な線形の回動ピンが脚を横切って貫通され、前記回動ピンには、中空の脚の内部において長形又は楕円形のストッパーが固定されるように構成されたものである。
【０００６】
前記車輪回転自動固定装置は、移動部の上端に連結される中空の脚に荷重が加えられると、前記移動部が下側に移動して前記固定具が車輪と接触することにより、前記車輪の回転が自動的に固定され、脚に加えられる荷重が除去されると、前記移動部が弾性体の復元力により上側に移動して前記固定具が車輪から離れることにより車輪が回転可能になり、回転ピンに固定されたストッパーが回転して車輪支持体の上部に形成された案内柱の上端を押し付けて車輪の上昇を停止させて移動可能なようにしたものである。すなわち、荷重が与えられると停止され、荷重が解放されると作動されるような構造であり、使い勝手が良いとはいえ、荷重が加えられた状態では移動することができない。そのため、荷重が加えられた状態では、ストッパーを回転させて案内柱の作動を停止させるが、ストッパーを作動させる回転ピンを固定する装置がないため、僅かな振動及び衝撃でもストッパーが回転し易く、次いで、車輪が上昇しながら固定具に接触してしまうため車輪の回転が停止されてしまうという不具合がある。
【０００７】
更に、従来の技術による、車輪を出没（突出および没入）させて移動及び停止を行う装置を有するキャスターのうちの一つである「移動体設置用回転車輪」は、特許文献３に開示されたものであり、車輪配設部材に車輪を偏心状に配設し、車輪配設部材に移動体取付部材を軸として係合するが、車輪配設部材と移動体取付部材との間に玉軸受装置を介在させてなるものにおいて、移動体取付部材に円筒部を形成し、円筒部の外周面に支柱を配設し、円筒部と支柱との間に、支柱の配設高さの調節のための円筒部の外周面に形成されたねじ部と、支柱の内面に形成されたねじ部と、からなる調節装置を取設してなるものである。
【０００８】
前記移動体設置用回転車輪は、円筒状の支柱又は高さ調節ナットを回転させることにより、支柱の配設位置が上下に調節されるときに車輪が支柱の内部に導入されたり外部に突出されたりする出没動作により停止又は移動をするものである。しかしながら、荷重が加えられる場合、円筒状の支柱それ自体又は高さ調節ナットを人為的な力で操作することは非常に困難である。
【０００９】
更にまた、従来の技術による、車輪を出没させて移動及び停止を行う装置を有するキャスターのうちの一つである「出没式キャスター」は、特許文献４に開示されたものであり、下部には段差を有する昇降孔が貫通されたハウジングと、前記段差に選択的に係止されて載置され、昇降孔に沿って昇降可能であり、ハウジング内にばねにより下向きに弾設される昇降片と、前記昇降片の下部に配設されるキャスターと、前記ハウジング及び昇降片に配設されてキャスターの昇降を断続可能なストッピング手段と、を備えるものである。なお、前記ストッピング手段は、昇降片の外周面に形成されるストッピング溝と、前記ストッピング溝に選択的にストッピング可能なようにハウジングに形成された係合孔にばねにより弾設され、ピンを基点として角度が調節可能なストッパーと、からなる。
【００１０】
前記出没式キャスターは、支柱の外部に車輪を突出または支柱の内部に車輪を没入させるときにバネの弾性力を利用し、荷重が加えられると、車輪を支柱の内部に没入させ、荷重が解放されると、車輪を支柱の外部に突出させて使い勝手の良さを提供する。しかしながら、自体の荷重が大きいとき、或いは、荷重が与えられて重いときには車輪を支柱の内部に導入されるため移動することができない。これを防ぐとともに移動を行うために、車輪が支柱の外部に突出された状態を維持するためのストッパーが昇降片の上昇を阻止したり、逆に、車輪を支柱の内部に導入させて移動を停止させたりするためには、昇降片の上昇を阻止していたストッパーの係止を解放しなければならない。このとき、指を用いて支柱の外部に突出したストッパーの自由端を人為的な力で圧着してピンを中心としてストッパーを回転させると、接触部分が回転しながら昇降片から離脱されて係止が解放される。しかしながら、荷重の力が昇降片に接触されているストッパーに集中した状態で指の圧着力だけではストッパーを回転させて係止状態を解放する操作を行うことが非常に困難である。
【先行技術文献】
【特許文献】
【００１１】
【特許文献１】大韓民国登録特許第１０−０３４０２９２号
【特許文献２】大韓民国公開特許第１０−２０１０−００２２８８６号
【特許文献３】大韓民国公開特許第１０−２００８−００１５２４２号
【特許文献４】大韓民国公開特許第１０−２００５−０１１４５９６号
【発明の概要】
【発明が解決しようとする課題】
【００１２】
したがって、本発明は、上述した従来の問題を解消するために案出されたものであり、本発明の目的は、より手軽に車輪を出没させ、各位置状態を安定的に維持可能とするように構成された昇降手段及び固定手段を備えるキャスターを提供することにある。
【００１３】
また、本発明の他の目的は、手軽に車輪を出没させ、各位置状態を安定的に維持可能とするように構成された昇降手段及び固定手段を備えるキャスター付きホワイトボードを提供することにある。
【課題を解決するための手段】
【００１４】
上記目的を達成するための本発明に係るキャスターは、 ナットが締め付けられるように上側に雄ねじが形成された固定軸の下端を係合した車輪と、前記車輪の固定軸を貫通させた後にナットで締め付けるように軸孔が中央に穿孔され、周面に作動軸孔が形成された摺動部材と、前記摺動部材の作動軸孔に嵌め込まれる偏心軸が一方の側に形成され、他方の側の中心に突設される軸ボルトを有する偏心回転部材と、からなる昇降手段と、前記摺動部材が嵌め込まれて上下動可能なように垂直方向の中央に貫通形成される第１の作動空間と、前記車輪が回転及び上下動可能な第２の作動空間と、偏心回転部材が嵌め込まれて偏心軸が第１の作動空間に導入されるように水平方向に貫通形成される第３の作動空間と、上部に形成された締付け用雌ねじと、からなる本体と、前記偏心回転部材の軸ボルトに嵌め込まれる係合孔が中央に穿孔された作動レバーと、前記偏心回転部材の軸ボルトに螺合されて作動レバーを固定する固定ナットと、前記本体の第３の作動空間に嵌め込まれる偏心回転部材の抜け止め及び回転の停止を行うように第１の固定部又は第２の固定部からなる固定手段と、を備えることを技術的構成の特徴とする。
【発明の効果】
【００１５】
本発明に係るキャスター及びキャスター付きホワイトボードは、 非常に有用なものであって、荷重が与えられても車輪を固定した摺動部材が偏心回転部材の偏心軸の回転により昇降し易いので、車輪を本体から突出および没入させることができると共に、移動又は停止を行うことができ、簡単な構造の第１の固定部又は第２の固定部を用いて偏心回転部材の抜け止め及び回転の停止を行うことができて停止可能な状態又は移動可能な状態を安定的に維持することができるので、使い勝手が非常に高く、しかも、その構造が簡単であるので、製造コストの節減を図ることができる。
【図面の簡単な説明】
【００１６】
【図１】本発明に係るキャスターを示す分解斜視図。
【図２】本発明に係るキャスターを一部係合した状態を示す斜視図。
【図３】本発明に係るキャスター付きホワイトボードを示す一部分解斜視図。
【図４ａ】本発明に係るキャスターの作動過程を一部拡大して示す横断面図及び縦断面図。
【図４ｂ】本発明に係るキャスターの作動過程を一部拡大して示す横断面図及び縦断面図。
【図４ｃ】本発明に係るキャスターの作動過程を一部拡大して示す横断面図及び縦断面図。
【図５】本発明に係るキャスターの作動レバーが偏心回転部材に係合される状態を示す第１の固定部の他の実施形態の要部の拡大斜視図。
【図６】本発明に係るキャスターの第２の固定部を示す分解斜視図。
【図７】本発明に係るキャスターの第２の固定部の作動過程を示す縦断面図。
【発明を実施するための形態】
【００１７】
以下、添付図面に基づき、本発明の好適な実施形態を詳述する。
図１及び図３は、本発明の一実施形態に係るキャスターの分解斜視図及びキャスター付きホワイトボードを示す一部分解斜視図であり、符号１はキャスター、２は車輪、３は摺動部材、４は偏心回転部材、５は本体、６は作動レバー、９はホワイトボード、９１はスタンド、９２は柱フレーム、９３は受け台を示す。
【００１８】
同図に示すように、黒板やホワイトボードなどの教具又は家具の底面に取り付けられて移動可能な本発明に係るキャスター１は、本体５と、該本体５に装着されて車輪２の出没及び停止を行う昇降手段と、固定手段と、を備える。
【００１９】
まず、車輪２は、ナット２３が締め付けられるように上側に雄ねじ２２が形成された固定軸２１の下端を係合してなる。
【００２０】
また、前記車輪２を本体５の下部において昇降させて出没（突出および没入）させる昇降手段は、摺動部材３と、該摺動部材３を作動させる偏心回転部材４と、からなる。
【００２１】
前記摺動部材３は、車輪２の固定軸２１を貫通させる軸孔３１が中央に穿孔され、周面に水平方向に拡張された長孔の作動軸孔３２が形成されてなる。すなわち、摺動部材３は、本体５に収容されて上下に移動して車輪２を出没させる役割を果たす。
【００２２】
前記偏心回転部材４は、摺動部材３の作動軸孔３２に嵌め込まれる偏心軸４１を一方の側に形成し、他方の側の中心に突設される軸ボルト４２を一体に形成してなる。一方、偏心回転部材４は、約９５〜１００の角度で回転しながら偏心軸４１が摺動部材３を上下動させる役割を果たす。
【００２３】
また、本体５は、摺動部材３が嵌め込まれて上下動可能なように垂直方向の中央に貫通形成される第１の作動空間５１と、車輪２が回転及び上下動可能な第２の作動空間５２と、偏心回転部材４が嵌め込まれて偏心軸４１が第１の作動空間５１に導入されて摺動部材３の作動軸孔３２に嵌め込まれるように水平方向に貫通形成される第３の作動空間５３と、上部に形成された締付け用雌ねじ５４と、からなる。
更に、前記偏心回転部材４の軸ボルト４２に嵌め込まれる係合孔６１が中央に穿孔された作動レバー６を設けて偏心回転部材４を回転させる。
【００２４】
一方、前記作動レバー６の回転力が偏心回転部材４に直接的に伝わるように、添付の図２に示すように、偏心回転部材４の軸ボルト４２の上下部分を切削して平面化させ、前記軸ボルト４２に嵌め込まれる作動レバー６の係合孔６１もまた軸ボルト４２の平面部分と一致する直線面状に形成するか、或いは、添付の図５に示すように、偏心回転部材４に固定ピン２１３を係合し、該固定ピン２１３が嵌め込まれるように作動レバー６に固定孔６２を形成してなる。前記作動レバー６の回転力を偏心回転部材４に伝え易くするための係合手段はこれに何等限定されるものではなく、偏心回転部材４の軸ボルト４２の代わりに図示しないねじ釘を用いて作動レバー６を偏心回転部材４に直接的に固定することもできるということはいうまでもない。
【００２５】
また、前記作動レバー６を固定するために、偏心回転部材４の軸ボルト４２に螺合される固定ナット２４が設けられる。
【００２６】
更に、前記本体５の第３の作動空間５３に嵌め込まれる偏心回転部材４の抜け止め及び回転の停止を行うために、第１の固定部２１０又は第２の固定部２２０からなる固定手段が設けられる。
【００２７】
前記固定手段のうちの一つである第１の固定部２１０は、添付の図１及び図２に示すように、本体５の第３の作動空間５３に嵌め込まれた偏心回転部材４の抜け止めを行うために第３の作動空間５３の先端に螺合される仕上げリング２１１と、本体５の第３の作動空間５３の入口の外側に固定された止めピン２１２と、からなる。前記止めピン２１２の位置は、偏心回転部材４の偏心軸４１が図４ｃの（Ａ）及び（Ｂ）部分でのように垂直中心線を外れた回転角αに達したときに停止されるように作動レバー６の回転を停止させるための位置であり、ストッパーの役割を果たす。
【００２８】
また、固定手段のうちの一つである第２の固定部２２０は、前記第１の固定部２１０の仕上げリング２１１及び止めピン２１２を代替する構成要素であり、添付の図６及び図７に示すように、偏心回転部材４の周面にガイド溝４３を形成し、且つ、該ガイド溝４３の両端に止め溝４４を形成し、前記ガイド溝４３及び止め溝４４に嵌め込まれて接するように下部が半球状を呈し、且つ、中央に突出フランジを有する支持棒２２１と、該支持棒２２１に弾性力を与えるばね２２２と、前記支持棒２２１及びばね２２２を収容するために本体５の第３の作動空間５３と連通するように上部に穿孔された収容空間５５の先端に螺合される栓２２３と、を備えてなる。なお、前記支持棒２２１の半球状の下端が偏心回転部材４の周面に形成されたガイド溝４３及び止め溝４４に嵌め込まれて接触された後に係止突起の役割を果たすので、偏心回転部材４が本体５の第３の作動空間５３から離脱されることが防がれる。
【００２９】
更に、本体５の第１の作動空間５１及び該第１の作動空間５１において上下動する摺動部材３の断面の形状は、添付の図１に示すように円形であってもよく、添付の図６に示すように矩形状であってもよい。
【００３０】
このため、上述したような構成を有する本発明のキャスター１は、添付の図３に示すように、教具及び家具のうちの一つであるホワイトボード９に４つ取り付けることになる。すなわち、ホワイトボード９を据置きするスタンド９１の柱フレーム９２の下端に固定された受け台９３にキャスター１の本体５の上部を接触させ、次いで、締付けボルト２５のねじ部分を受け台９３に穿孔された孔に通させた後、 キャスター１の本体５の上端に形成された雌ねじ５４に螺合することにより取り付けが終わる。
【００３１】
上述したようにキャスター１の受け台９３への取付けが終わり、車輪２が本体５の第２の作動空間５２内にあるときに本体５の底面が床面に接地された状態で移動が停止される状態である。すなわち、添付の図４ａの（Ａ）及び（Ｂ）に示すように、作動レバー６は、垂直状態であり、且つ、偏心回転部材４の偏心軸４１が最上端の位置に達して車輪２を固定している摺動部材３もまた上昇した状態となる。
【００３２】
次いで、移動を行うためには、車輪２を本体５の第２の作動空間５２の下側に下降させて車輪２が床面に接するようにしなければならない。
【００３３】
このためには、作動レバー６を反時計回り方向に９０°回転させると、作動レバー６と同時に偏心回転部材４の回転につれて偏心軸４１が回転し、前記偏心軸４１の回転は摺動部材３の作動軸孔３２の位置を下側に移動させることにより、添付の図４ｂの（Ａ）及び（Ｂ）に示すように、作動レバー６は水平状態であり、且つ、偏心回転部材４の偏心軸４１が最下端の位置である下死点に達して車輪２を固定している摺動部材３を下降させた状態となる。
【００３４】
前記図４ｂの（Ａ）及び（Ｂ）に示すように、摺動部材３が最下端に位置し、偏心回転部材４の偏心軸４１が垂直中心線の上に位置しており、外部の振動又は衝撃により偏心回転部材４が回転自在になる虞があるため、これを防ぐとともに移動を行うための車輪２の下降状態を維持するために停止位置を設定しなければならない。
【００３５】
すなわち、車輪２の下降状態を維持するための一つの方法は、添付の図４ｃの（Ａ）及び（Ｂ）に示すように、偏心回転部材４の偏心軸４１が垂直中心線を外れた５〜１０°だけ更に回転した回転角αに達したときに偏心回転部材４を回転させる作動レバー６がそれ以上回転できないように止めピン２１２が作動レバー６の回転を停止させることにより達成される。
【００３６】
また、車輪２の下降状態を維持するための他の方法は、添付の図７の（Ａ）に示すように、支持棒２２１の半球状の下端がばね２２２の弾性力により偏心回転部材４の周面に形成された止め溝４４に嵌め込まれて偏心回転部材４の回転を停止させていて、車輪２を固定している摺動部材３を下降させるために偏心回転部材４を回転させると、ガイド溝４３が支持棒２２１の半球状の下端に接しながら回転移動していて、図７の（Ｂ）に示すように、車輪２が本体５の下部から突出されて床面に接し、偏心回転部材４の周面に形成された止め溝４４に支持棒２２１の半球状の下端が嵌め込まれて係止される状態となるため、安定的な状態で車輪２が移動可能になるのである。
【００３７】
このため、作動レバー６の人為的な作動と、作動レバー６の回転力により回転される偏心回転部材４の偏心軸４１が作動軸孔３２を介して摺動部材３を昇降させて車輪２を本体５の下部に出没させる操作し易い昇降手段と、前記昇降手段のうちの一つである偏心回転部材４の離脱位置及び固定位置の設定のための第１の固定部２１０又は第２の固定部２２０を用いて車輪２の下降状態を安定的に維持することができるので、使い勝手が高く、その構造が簡単であるとともに製作し易いので、製造コストの節減を図ることができる有用なものである。
【００３８】
以上、本発明の好適な実施形態について説明及び図示したが、前記図示及び説明されたそのままの構成及び作用に限定するものではない。よって、前記実施形態を適切に変形及び修正可能であるということは当業者が理解できる筈であるため、適切な変更及び修正と均等物は本発明の範囲に属するものと見なすべきである。なお、本明細書によれば、以下の各項目もまた実施形態として開示される。
［項目１］
教具又は家具の底面に取り付けられるキャスター（１）において、
ナット（２３）が締め付けられるように上側に雄ねじ（２２）が形成された固定軸（２１）の下端を係合した車輪（２）と、
前記車輪（２）の固定軸（２１）を貫通させる軸孔（３１）が中央に穿孔され、周面に作動軸孔（３２）が形成された摺動部材（３）と、前記摺動部材（３）の作動軸孔（３２）に嵌め込まれる偏心軸（４１）が一方の側に形成され、他方の側の中心に突設される軸ボルト（４２）を有する偏心回転部材（４）と、からなる昇降手段と、
前記摺動部材（３）が嵌め込まれて上下動可能なように垂直方向の中央に貫通形成される第１の作動空間（５１）と、前記車輪（２）が回転及び上下動可能な第２の作動空間（５２）と、偏心回転部材（４）が嵌め込まれて偏心軸（４１）が第１の作動空間（５１）に嵌入されるように水平方向に貫通形成される第３の作動空間（５３）と、上部に形成された締付け用雌ねじ（５４）と、からなる本体（５）と、
前記偏心回転部材（４）の軸ボルト（４２）に嵌め込まれる係合孔（６１）が中央に穿孔された作動レバー（６）と、
前記偏心回転部材（４）の軸ボルト（４２）に螺合されて作動レバー（６）を固定する固定ナット（２４）と、
前記本体（５）の第３の作動空間（５３）に嵌め込まれる偏心回転部材（４）の抜け止め及び回転の停止を行うように第１の固定部（２１０）又は第２の固定部（２２０）からなる固定手段と、
を備えるキャスター。
［項目２］
前記第１の固定部（２１０）は、
本体（５）の第３の作動空間（５３）の先端に螺合される仕上げリング（２１１）と、本体（５）の第３の作動空間（５３）の入口の外側に固定された止めピン（２１２）と、からなり、
前記第２の固定部（２２０）は、偏心回転部材（４）の周面に形成されるガイド溝（４３）及び該ガイド溝（４３）の両端に形成される止め溝（４４）に接するように下部が半球状であり、且つ、中央に突出フランジを有する支持棒（２２１）と、該支持棒（２２１）に弾性力を与えるばね（２２２）と、前記支持棒（２２１）及びばね（２２２）を収容するために本体（５）の第３の作動空間（５３）と連通するように上部に穿孔された収容空間（５５）の先端に螺合される栓（２２３）と、を備えてなる項目１に記載のキャスター。
［項目３］
項目１又は項目２に記載のキャスター（１）がホワイトボード（９）を据置きするスタンド（９１）の柱フレーム（９２）の下端に固定された受け台（９３）に接し、受け台（９３）を貫通してキャスター（１）の本体（５）の上端に形成された雌ねじ（５４）に螺合される締付けボルト（２５）により取り付けられるキャスター付きホワイトボード。
【符号の説明】
【００３９】
１  キャスター
２  車輪
２１  固定軸
２２  雄ねじ
２３  ナット
２４  固定ナット
３  摺動部材
３１  軸孔
３２  作動軸孔
４  偏心回転部材
４１  偏心軸
４２  軸ボルト
４３  ガイド溝
４４  止め溝
５  本体
５１  第１の作動空間
５２  第２の作動空間
５３  第３の作動空間
５４  雌ねじ
５５  収容空間
６  作動レバー
６１  係合孔
６２  固定孔
９  ホワイトボード
９１  スタンド
９２  柱フレーム
９３  受け台
２１０  第１の固定部
２１１  仕上げリング
２１２  止めピン
２１３  固定ピン
２２０  第２の固定部
２２１  支持棒
２２２  ばね
２２３  栓
【図１】
0006315872.tif 000002
【図２】
0006315872.tif 000003
【図３】
0006315872.tif 000004
【図４ａ】
0006315872.tif 000005
【図４ｂ】
0006315872.tif 000006
【図４ｃ】
0006315872.tif 000007
【図５】
0006315872.tif 000008
【図６】
0006315872.tif 000009
【図７】
0006315872.tif 000010